(57)【要約】【課題】ソーラーパネルに温度変化による伸縮が生じても、第１太陽電池セルと第２太陽電池セルとの通電不良の発生を抑制可能なソーラーパネルを提供する。【解決手段】本発明のソーラーパネルにはインターコネクタ９が設けられている。インターコネクタ９は、第１太陽電池セル３と接続される第１電極９１と、第２太陽電池セル５と接続される第２電極９２と、第１電極９１と第２電極９２とを接続する接続体９３とを備えている。接続体９３は、第１迂回部としての一方側第１迂回部９３１と、第２迂回部としての一方側第２迂回部９３２と、接続部としての第１接続部９３５とを有している。一方側第１迂回部９３１は、第１電極９１側の端部が第２電極９２とは反端側に向けて湾曲しながら第１電極９１に接続する第１湾曲部位９３１ｂを有している。【選択図】図３
2018026380.tif 000002
【特許請求の範囲】
【請求項１】
第１方向で隣接し、前記第１方向の一方側に位置する第１太陽電池セルと、前記第１方向の他方側に位置する第２太陽電池セルとを互いに通電可能に接続するインターコネクタであって、
前記第１太陽電池セルと接続される第１電極と、
前記第２太陽電池セルと接続される第２電極と、
前記第１電極と前記第２電極とを接続する接続体とを備え、
前記接続体は、前記第１電極と接続し、前記第１方向と略直交する第２方向の少なくとも一方側に延びる第１迂回部と、
前記第２電極と接続し、前記第２方向の少なくとも前記一方側に延びる第２迂回部と、
前記第１方向で前記第１迂回部と前記第２迂回部とに近づくように延び、前記第１迂回部と前記第２迂回部とを接続する接続部とからなり、
前記第１迂回部は、前記第１電極側の端部が前記第２電極とは反端側に向けて湾曲しながら前記第１電極に対して接続する第１湾曲部位を有していることを特徴とするインターコネクタ。
【請求項２】
前記第２迂回部は、前記第２電極側の端部が前記第１電極とは反対側に向けて湾曲しながら前記第２電極に対して接続する第２湾曲部位を有している請求項１記載のインターコネクタ。
【請求項３】
前記第１迂回部は、前記第２方向の前記一方側に延びる一方側第１迂回部と、前記第２方向の前記他方側に延びる他方側第１迂回部とからなり、
前記第２迂回部は、前記第２方向の前記一方側に延びる一方側第２迂回部と、前記第２方向の前記他方側に延びる他方側第２迂回部とからなり、
前記接続部は、前記一方側第１迂回部と前記一方側第２迂回部とを接続する第１接続部と、前記他方側第１迂回部と前記他方側第２迂回部とを接続する第２接続部とからなる請求項１又は２記載のインターコネクタ。
【請求項４】
前記一方側第１迂回部と前記他方側第１迂回部とは前記第２方向で離間し、
前記一方側第２迂回部と前記他方側第２迂回部とは前記第２方向で離間している請求項３記載のインターコネクタ。
【請求項５】
前記第１電極、前記第２電極及び前記接続体は１枚の板材からなる請求項１乃至４のいずれか１項記載のインターコネクタ。
【請求項６】
請求項１乃至５のいずれか１項記載の前記インターコネクタと、表面から裏面まで透光性を有する保護カバーと、背面カバーと、第１太陽電池セルと、前記第１太陽電池セルに対して第１方向で隣接する第２太陽電池セルと、前記保護カバーと前記背面カバーとの間で前記第１太陽電池セルと前記第２太陽電池セルと前記インターコネクタとを封止状態で固定する封止材とを備えていることを特徴とするソーラーパネル。
【発明の詳細な説明】
【技術分野】
【０００１】
本発明はインターコネクタ及びソーラーパネルに関する。
【背景技術】
【０００２】
特許文献１に従来のソーラーパネルが開示されている。このソーラーパネルは、保護カバーと、背面カバーと、第１太陽電池セルと、第２太陽電池セルと、インターコネクタと、封止材とを備えている。
【０００３】
保護カバーは無機ガラスで形成されており、表面から裏面まで透光性を有している。背面カバーは樹脂フィルム等で形成されている。第１太陽電池セルと第２太陽電池セルとは、第１方向で隣接して配置されている。具体的には、第１太陽電池セルは第１方向の一方側に位置しており、第２太陽電池セルは第１方向の他方側に位置している。
【０００４】
インターコネクタは平板状に形成されている。インターコネクタは、第１太陽電池セルと第２太陽電池セルとの間において、第１太陽電池セル及び第２太陽電池セルに対して水平に配置されている。インターコネクタは、第１太陽電池セルと接続される第１電極と、第２太陽電池セルと接続される第２電極と、第１電極と第２電極とを接続する接続部とを備えている。封止材は、保護カバーと背面カバーとの間で第１太陽電池セルと第２太陽電池セルとインターコネクタとを封止状態で固定している。
【０００５】
このソーラーパネルでは、第１方向で隣接する第１太陽電池セルと第２太陽電池セル同士がインターコネクタを介して通電可能となっている。
【先行技術文献】
【特許文献】
【０００６】
【特許文献１】特開２００５−１９１４７９号公報
【発明の概要】
【発明が解決しようとする課題】
【０００７】
ところで、この種のソーラーパネルでは、製造時や使用時における温度変化により伸縮が生じ得ることから、隣接する第１太陽電池セルと第２太陽電池セルとの間隔が変化する。このため、上記従来のソーラーパネルにおいて、温度変化による収縮で第１太陽電池セルと第２太陽電池セルとの間隔が狭くなれば、インターコネクタには、第１太陽電池セル及び第２太陽電池セルによって両側から押圧される負荷が作用する。このため、この負荷によって、インターコネクタが厚さ方向に折損する懸念がある。一方、温度変化による伸長で第１太陽電池セルと第２太陽電池セルとの間隔が広くなれば、インターコネクタには、第１太陽電池セルと第２太陽電池セルとによって両側へ牽引される負荷が作用する。このため、第１電極と第１太陽電池セルとが離別したり、第２電極と第２太陽電池セルとが離別したりする懸念がある。
【０００８】
これらのため、このソーラーパネルでは、第１太陽電池セルと第２太陽電池セルとが好適に通電し得ないおそれがある。特に、保護カバーや背面カバーを樹脂製とした場合には、これらの熱膨張係数が大きいため、上記の問題がより顕著となる。
【０００９】
本発明は、上記従来の実情に鑑みてなされたものであって、ソーラーパネルに温度変化による伸縮が生じても、第１太陽電池セルと第２太陽電池セルとの通電不良の発生を抑制可能なソーラーパネルを提供することを解決すべき課題としている。
【課題を解決するための手段】
【００１０】
本発明のインターコネクタは、第１方向で隣接し、前記第１方向の一方側に位置する第１太陽電池セルと、前記第１方向の他方側に位置する第２太陽電池セルとを互いに通電可能に接続するインターコネクタであって、
前記第１太陽電池セルと接続される第１電極と、
前記第２太陽電池セルと接続される第２電極と、
前記第１電極と前記第２電極とを接続する接続体とを備え、
前記接続体は、前記第１電極と接続し、前記第１方向と略直交する第２方向の少なくとも一方側に延びる第１迂回部と、
前記第２電極と接続し、前記第２方向の少なくとも前記一方側に延びる第２迂回部と、
前記第１方向で前記第１迂回部と前記第２迂回部とに近づくように延び、前記第１迂回部と前記第２迂回部とを接続する接続部とからなり、
前記第１迂回部は、前記第１電極側の端部が前記第２電極とは反端側に向けて湾曲しながら前記第１電極に対して接続する第１湾曲部位を有していることを特徴とする。
【００１１】
本発明のインターコネクタでは、接続体の第１迂回部及び第２迂回部が互いに近接又は遠隔するように変形することにより、第１電極と第２電極との間隔を変化させることができる。すなわち、温度変化による収縮で第１太陽電池セルと第２太陽電池セルとの間隔が狭くなれば、それに応じて、接続体では第１迂回部及び第２迂回部が第１方向で互いに近接するように変形する。こうして、このインターコネクタでは、収縮時に第１太陽電池セル及び第２太陽電池セルから押圧される負荷を緩衝しつつ、第１電極と第２電極とを第１方向で近接させることができる。このため、このインターコネクタでは、第１太陽電池セルと第２太陽電池セルとの間隔が狭くなっても、それによって厚さ方向に折損することを防止できる。
【００１２】
また、温度変化による伸張によって第１太陽電池セルと第２太陽電池セルとの間隔が広くなれば、それに応じて、接続体では第１迂回部及び第２迂回部が第１方向で互いに遠隔するように変形する。こうして、このインターコネクタでは、伸張時に第１太陽電池セル及び第２太陽電池セルから牽引される負荷を第１迂回部及び第２迂回部の変形によって緩衝しつつ、第１電極と第２電極とを第１方向で遠隔させることができる。このため、このインターコネクタでは、第１太陽電池セルと第２太陽電池セルとの間隔が広くなっても、それによって第１電極と第１太陽電池セルとが離別したり、第２電極と第２太陽電池セルとが離別したりすることを防止できる。
【００１３】
ここで、第１迂回部は、第１湾曲部位を有しており、この第１湾曲部位は、第１電極側の端部が第２電極とは反対側に向けて湾曲しながら第１電極に対して接続する。これにより、上記のように接続体が変形する際、第１湾曲部位では応力を好適に分散し易く、第１迂回部と第１電極との接続箇所に応力が集中することを防止できる。このため、上記のように接続体が変形しても、第１迂回部が破断し難い。
【００１４】
したがって、本発明のインターコネクタは、ソーラーパネルに温度変化による伸縮が生じても、第１太陽電池セルと第２太陽電池セルとの通電不良の発生を抑制できる。
【００１５】
第２迂回部は、第２電極側の端部が第１電極とは反対側に向けて湾曲しながら第２電極に対して接続する第２湾曲部位を有していることが好ましい。この場合には、接続体が変形する際に第２湾曲部位でも応力を好適に分散し易くなるため、第２迂回部と第２電極との接続箇所に応力が集中することも防止できる。このため、第２迂回部も破断し難い。
【００１６】
第１迂回部は、第２方向の一方側に延びる一方側第１迂回部と、第２方向の他方側に延びる他方側第１迂回部とからなり得る。また、第２迂回部は、第２方向の一方側に延びる一方側第２迂回部と、第２方向の他方側に延びる他方側第２迂回部とからなり得る。そして、接続部は、一方側第１迂回部と一方側第２迂回部とを接続する第１接続部と、他方側第１迂回部と他方側第２迂回部とを接続する第２接続部とからなることが好ましい。この場合には、温度変化による収縮や伸張によって、第１太陽電池セルと第２太陽電池セルとの間隔が変位した際、第１太陽電池セルと第２太陽電池セルとの間の距離が均一に変化し易くなる。
【００１７】
一方側第１迂回部と他方側第１迂回部とは第２方向で離間し得る。そして、一方側第２迂回部と他方側第２迂回部とは第２方向で離間していることが好ましい。この場合には、一方側第１、２迂回部と他方側第１、２迂回部とがそれぞれ変形し易くなる。これにより、接続体は、第１電極と第２電極とを好適に近接又は遠隔させることが可能となる。
【００１８】
第１電極、第２電極及び接続体は１枚の板材からなることが好ましい。この場合には、インターコネクタの製造を容易化することができ、製造コストを低廉化することができる。
【００１９】
本発明のソーラーパネルは、上記のインターコネクタと、表面から裏面まで透光性を有する保護カバーと、背面カバーと、第１太陽電池セルと、前記第１太陽電池セルに対して第１方向で隣接する第２太陽電池セルと、前記保護カバーと前記背面カバーとの間で前記第１太陽電池セルと前記第２太陽電池セルと前記インターコネクタとを封止状態で固定する封止材とを備えていることを特徴とする。
【００２０】
本発明のソーラーパネルは、上記のインターコネクタを備えている。このため、このソーラーパネルでは、温度変化による収縮によって第１太陽電池セルと第２太陽電池セルとの間隔が狭くなっても、それによってインターコネクタが厚さ方向に折損することを防止できる。また、ソーラーパネルでは、温度変化による膨張によって第１太陽電池セルと第２太陽電池セルとの間隔が広くなっても、それによって、第１電極と第１太陽電池セルとが離別したり、第２電極と第２太陽電池セルとが離別したりすることを防止できる。
【００２１】
したがって、本発明のソーラーパネルは、ソーラーパネルに温度変化による伸縮が生じても、第１太陽電池セルと第２太陽電池セルとの通電不良の発生を抑制できる。
【発明の効果】
【００２２】
本発明のインターコネクタは、ソーラーパネルに温度変化による伸縮が生じても、第１太陽電池セルと第２太陽電池セルとの通電不良の発生を抑制できる。また、本発明ソーラーパネルは、ソーラーパネルに温度変化による伸縮が生じても、第１太陽電池セルと第２太陽電池セルとの通電不良の発生を抑制できる。
【００２３】
さらに、本発明のインターコネクタ及び本発明ソーラーパネルでは、接続体の構成を簡略化することができる。これにより、ソーラーパネルの製造時に、封止材とインターコネクタのとの間に気泡が生じ難く、封止材とインターコネクタとの結合力を高くすることができる。また、気泡の発生を抑制することにより、ソーラーパネルの美観を高くすることができる。
【図面の簡単な説明】
【００２４】
【図１】図１は、実施例１のソーラーパネルを示す上面図である。
【図２】図２は、実施例１のソーラーパネルに係り、図１におけるＡ−Ａ断面を示す拡大断面図である。
【図３】図３は、実施例１のソーラーパネルに係り、第１太陽電池セル、第２太陽電池セル及びインターコネクタを示す拡大上面図である。
【図４】図４は、実施例１のソーラーパネルに係り、インターコネクタを示す拡大上面図である。
【図５】図５は、実施例１のソーラーパネルに係り、図４における領域Ｘを示す要部拡大上面図である。
【図６】図６は、実施例１のソーラーパネルに係り、製造工程における準備工程を示す断面図である。
【図７】図７は、実施例１のソーラーパネルに係り、製造工程における封止工程を示す断面図である。
【図８】図８は、実施例１のソーラーパネルに係り、製造工程におけるラミネート工程を示す断面図である。
【図９】図９は、実施例２のソーラーパネルに係り、インターコネクタを示す拡大上面図である。
【発明を実施するための形態】
【００２５】
以下、本発明を具体化した実施例１、２を図面を参照しつつ説明する。
【００２６】
（実施例１）
図１に示すように、実施例１のソーラーパネルは、保護板１と、複数の第１太陽電池セル３と、複数の第２太陽電池セル５と、複数のタブ線７ａ、７ｂと、複数のインターコネクタ９と、封止材１１と、図２に示す背面パネル１３とを備えている。保護板１が本発明における保護カバーに相当する。また、背面パネル１３が本発明における背面カバーに相当する。なお、説明を容易にするため、図１では、破断線により保護板１の一部の図示を省略している。
【００２７】
本実施例では、図１中に示す矢印方向によってソーラーパネルの左右方向及び前後方向を規定している。左右方向と前後方向とは直交する。そして、図２等では、図１に対応してソーラーパネルの各方向を規定している他、ソーラーパネルの厚さ方向である上下方向を規定している。ソーラーパネルの左右方向が本発明における第１方向に相当する。より詳細には、左方向が本発明における第１方向の一方側に相当し、右方向が本発明における第１方向の他方側に相当する。また、ソーラーパネルの前後方向が本発明における第２方向に相当する。より詳細には、後方向が本発明における第２方向の一方側に相当し、前方向が本発明における第２方向の他方側に相当する。なお、これらの各方向は説明の便宜上のための一例であり、各方向はソーラーパネルの使用時における方向とは関係しない。
【００２８】
図２に示すように、保護板１は、表面１ａから裏面１ｂまで透光性を有するポリカーボネートを主成分とする樹脂によって形成されている。保護板１の表面１ａはソーラーパネルの表面、つまり、ソーラーパネルの意匠面を構成している。表面１ａは平坦かつ水平に形成されており、裏面１ｂも表面１ａと平行かつ平坦に形成されている。これにより、図１に示すように、保護板１は略矩形の平板状に形成されている。なお、保護板１を他の樹脂や無機ガラス等によって形成しても良い。また、保護板１の厚さは適宜設計することができる。さらに、保護板１に代えて、例えば、透光性を有する保護フィルム等によって本発明における保護カバーを形成することもできる。
【００２９】
また、保護板１には隠蔽部１０が形成されている。隠蔽部１０は、保護板１の表面１ａ側から各タブ線７ａ、７ｂを隠蔽可能な本体部分１０ａと、表面１ａ側から各インターコネクタ９及び後述する第１、２連結部１５ａ、１５ｂを隠蔽可能な複数の連結部分１０ｂとで構成されている。
【００３０】
これらの本体部分１０ａ及び各連結部分１０ｂは、保護板１の裏面１ｂの所定の位置を黒色等の不透明色で塗装したり、裏面１ｂの所定の位置に黒色等の不透明色を印刷したりすることによって形成されている。具体的には、本体部分１０ａは、保護板１において各第１太陽電池セル３及び各第２太陽電池セル５の外域となる位置に形成されており、各第１、２太陽電池セル３、５を囲包する枠状をなしている。各連結部分１０ｂは、本体部分１０ａの内側に位置しており、それぞれ、保護板１の前後方向に延びて本体部分１０ａの前端側と後端側とに連続している。ここで、連結部分１０ｂの個数は、左右方向で隣接する各第１太陽電池セル３と各第２太陽電池セル５との間隔の数に応じて規定されている。また、各連結部分１０ｂの大きさは、左右方向で隣接する各第１太陽電池セル３と各第２太陽電池セル５との間隔の大きさ、具体的には、後述する間隔Ｗ（図３参照）の大きさに対応して規定されている。なお、説明を容易にするため、図２及び図６〜８では隠蔽部１０の図示を省略している。
【００３１】
図２に示す各第１太陽電池セル３及び各第２太陽電池セル５には、結晶シリコンが採用されている。各第１、２太陽電池セル３、５は、いずれも同一の構成であり、同一の性能を発揮するようになっている。具体的には、各第１太陽電池セル３は薄膜状をなしており、表面３ａと裏面３ｂとを有している。また、各第２太陽電池セル５も薄膜状をなしており、表面５ａと裏面５ｂとを有している。各第１太陽電池セル３の裏面３ｂ及び各第２太陽電池セル５の裏面５ｂには、通電部（図示略）が設けられている。なお、各第１、２太陽電池セル３、５の各表面３ａ、５ａに通電部を設けても良い。
【００３２】
図１に示すように、これらの各第１、２太陽電池セル３、５は、ソーラーパネルの前後方向及び左右方向に格子状に配設されている。また、第１太陽電池セル３と第２太陽電池セル５とは、左右方向で交互に隣接するように配置されている。なお、各第１、２太陽電池セル３、５の大きさや個数は、ソーラーパネルの大きさ等によって適宜変更可能である。
【００３３】
タブ線７ａ、７ｂは、金属の薄板によって形成されている。タブ線７ａ、７ｂは、ソーラーパネルの右端側又は左端側に配置されている。また、タブ線７ａ、７ｂ同士は、一定の間隔を隔てて配置されている。タブ線７ａ、７ｂは、前後方向で異なる列に位置する各第１太陽電池セル３又は各第１太陽電池セル５を通電可能に接続する。なお、タブ線７ａ、７ｂの形状や個数の他、各第１、２太陽電池セル３、５との接続位置等については適宜変更可能である。
【００３４】
図３に示すように、このソーラーパネルでは、３つのインターコネクタ９が第１連結部１５ａ及び第２連結部１５ｂによって連結されることにより、インターコネクタ群９０を構成している。インターコネクタ群９０、つまり、３つのインターコネクタ９及び第１、２連結部１５ａ、１５ｂは、銅板を打ち抜き加工することによって一体で形成されている。また、各インターコネクタ群９０は、各第１太陽電池セル３及び各第２太陽電池セル５に対して水平な平板状をなしている（図２参照）。なお、銅板以外の金属板によってインターコネクタ群９０を形成しても良い。また、インターコネクタ群９０を構成するインターコネクタ９の個数は２以上であれば良く、その個数は適宜変更可能である。
【００３５】
図４に示すように、インターコネクタ９は、第１電極９１と、第２電極９２と、接続体９３とを備えている。これらの第１電極９１、第２電極９２及び接続体９３は、上記のように銅板が打ち抜き加工されることで、一体をなしている。
【００３６】
第１電極９１はインターコネクタ９の左端側に位置しており、第２電極９２はインターコネクタ９の右端側に位置している。第１電極９１は、インターコネクタ９の前後方向に延びる第１基部９１ａと、第１基部９１ａと一体をなし、第１基部９１ａから左端側に向かって延びる第１接点部９１ｂとを有している。第２電極９２は、インターコネクタ９の前後方向に延びる第２基部９２ａと、第２基部９２ａと一体をなし、第２基部９２ａから右端側に向かって延びる第２接点部９１ｂとを有している。
【００３７】
接続体９３は、上面視した際に細い線状をなすように形成されている。接続体９３は、一方側第１迂回部９３１と、一方側第２迂回部９３２と、他方側第１迂回部９３３と、他方側第２迂回部９３４と、第１接続部９３５と、第２接続部９３６とからなる。一方側第１迂回部９３１及び他方側第１迂回部９３３は、接続体９３において左側に位置している。一方側第１迂回部９３１と他方側第１迂回部９３３とは、前後方向に離間している。また、一方側第２迂回部９３２及び他方側第２迂回部９３４は、接続体９３において右側に位置している。一方側第２迂回部９３２と他方側第２迂回部９３４とについても、前後方向に離間している。また、第１接続部９３５は接続体９３において後端に位置しており、第２接続部９３６は接続体９３において前端に位置している。
【００３８】
一方側第１迂回部９３１及び一方側第２迂回部９３２は、それぞれインターコネクタ９の後方側に向かって１本で延びている。他方側第１迂回部９３３及び他方側第２迂回部９３４は、それぞれインターコネクタ９の前方側に向かって１本で延びている。また、一方側第１迂回部９３１は、一方側第１本体部位９３１ａと一方側第１屈曲部位９３１ｂとを有している。一方側第２迂回部９３２は、一方側第２本体部位９３２ａと一方側第２屈曲部位９３２ｂとを有している。他方側第１迂回部９３３は、他方側第１本体部位９３３ａと他方側第１屈曲部位９３３ｂとを有している。他方側第２迂回部９３４は、他方側第２本体部位９３４ａと他方側第２屈曲部位９３４ｂとを有している。一方側第１湾曲部位９３１ｂ及び他方側第１湾曲部位９３３ｂは、本発明における第１湾曲部位に相当する。また、一方側第２湾曲部位９３２ｂ及び他方側第２湾曲部位９３４ｂは、本発明における第２湾曲部位に相当する。
【００３９】
このインターコネクタ９では、一方側第１迂回部９３１と他方側第１迂回部９３３とは、前後方向において対称な形状とされている。同様に、一方側第２迂回部９３２と他方側第２迂回部９３４とは、前後方向において対称な形状とされている。このため、以下の説明では、一方側第１迂回部９３１及び一方側第２迂回部９３２について構成を詳細に説明し、他方側第１迂回部９３３及び他方側第２迂回部９３４については、構成の詳細な説明を適宜省略する。
【００４０】
一方側第１迂回部９３１において、一方側第１本体部位９３１ａは、インターコネクタ９の後方側に向かって直線状に延びた後、次第に一方側第２迂回部９３２に近づくように延びている。一方側第１湾曲部位９３１ｂは、一方側第１迂回部９３１における第１電極９１側、つまり、一方側第１迂回部９３１における前側の端部に設けられている。図４に示す領域Ｘを拡大して図５に示ように、一方側第１湾曲部位９３１ｂは、具体的には、一方側第１迂回部９３１において、同図に示す破線ａ１と破線ｂ１とで区画された部位である。一方側第１湾曲部位９３１ｂは、後端で一方側第１本体部位９３１ａの前端と接続している。そして、一方側第１湾曲部位９３１ｂは、一方側第１本体部位９３１ａの前端から一方側第２迂回部９３２に近づくように右方向に湾曲した後、自身の前端に向かうにつれて、第１電極９１に近づくように、つまり第２電極９２とは反対側である左方向に大きく湾曲している。そして、一方側第１湾曲部位９３１ｂの前端は、第１電極９１の第１基部９１ａの後端側に対して右方向から接続している。この際、一方側第１湾曲部位９３１ｂの右端縁は、第１基部９１ａの右端縁に対して、湾曲しながら直角よりも大きい角度θで接続している。本実施例では、角度θは約１２０°に設定されている。なお、角度θは９０°よりも大きければ、適宜設定することができる。また、一方側第１湾曲部位９３１ｂの左端縁は、第１基部９１ａの後端縁に対して湾曲しながら接続している。
【００４１】
図４に示すように、一方側第２迂回部９３２は、一方側第１迂回部９３１と左右方向において対称な形状をなしている。具体的には、一方側第２迂回部９３２において、一方側第２本体部位９３２ａは、インターコネクタ９の後方側に向かって直線状に延びた後、次第に一方側第１迂回部９３１に近づくように延びている。また、一方側第２湾曲部位９３２ｂは、一方側第２迂回部９３２における第２電極９２側、つまり、一方側第２迂回部９３２における前側の端部に設けられている。具体的には、図５に示すように、一方側第２湾曲部位９３２ｂは、一方側第２迂回部９３２において、同図に示す破線ａ２と破線ｂ２とで区画された部位である。一方側第２湾曲部位９３２ｂは、後端で一方側第２本体部位９３２ａの前端と接続している。そして、一方側第２湾曲部位９３２ｂは、一方側第２本体部位９３２ａの前端から一方側第１迂回部９３１に近づくように左方向に湾曲した後、自身の前端に向かうにつれて、第２電極９２に近づくように、つまり第１電極９１とは反対側である右方向に大きく湾曲している。そして、一方側第２湾曲部位９３２ｂの前端は、第２電極９２の第１基部９２ａの後端側に対して左方向から接続している。この際、上記の一方側第１湾曲部位９３１ｂと同様、一方側第２湾曲部位９３２ｂの左端縁は、第２基部９２ａの左端縁に対して、湾曲しながら角度θで接続している。また、一方側第２湾曲部位９３２ｂの右端縁は、第２基部９２ａの後端縁に対して湾曲しながら接続している。
【００４２】
図４に示すように、他方側第１湾曲部位９３３ｂは、他方側第１迂回部９３３における第１電極９１側、つまり、他方側第１迂回部９３３における後側の端部に設けられている。また、他方側第２湾曲部位９３４ｂは、他方側第２迂回部９３４における第２電極９２側、つまり、他方側第２迂回部９３４における後側の端部に設けられている。具体的には、他方側第１屈曲部位９３３ｂは、他方側第１迂回部９３３において、図５に示す破線ａ３と破線ｂ３とで区画された部位である。一方側第１湾曲部位９３１ｂと同様、他方側第１湾曲部位９３３ｂは、第２電極９２とは反対側に湾曲している。これにより、他方側第１湾曲部位９３３ｂの右端縁は、第１基部９１ａの右端縁に対して、湾曲しながら右方向から角度θで接続している。また、他方側第１湾曲部位９３３ｂの左端縁は、第１基部９１ａの前端縁に対して湾曲しながら接続している。他方側第２屈曲部位９３４ｂは、他方側第２迂回部９３４において、同図に示す破線ａ４と破線ｂ４とで区画された部位である。一方側第２湾曲部位９３２ｂと同様、他方側第２湾曲部位９３４ｂは、第１電極９１とは反対側に湾曲している。これにより、他方側第２湾曲部位９３４ｂの左端縁は、第２基部９２ａの左端縁に対して、湾曲しながら左方向から角度θで接続している。また、他方側第２湾曲部位９３４ｂの右端縁は、第２基部９２ａの前端縁に対して湾曲しながら接続している。こうして、一方側第１迂回部９３１及び他方側第１迂回部９３３は、第１電極９１と接続しており、一方側第２迂回部９３２及び他方側第２迂回部９３４は、第２電極９２と接続している。
【００４３】
図４に示すように、第１接続部９３５は、一方側第１本体部位９３１ａの後端と一方側第２本体部位９３２ａの後端とにそれぞれ近づくように左右方向で直線状に１本で延びており、一方側第１、２本体部位９３１ａ、９３２ａの各後端と接続している。同様に、第２接続部９３６も、他方側第１本体部位９３３ａの前端と他方側第２本体部位９３４ａの前端とにそれぞれ近づくように左右方向で直線状に１本で延びており、他方側第１、２本体部位９３３ａ、９３４ａの各前端と接続している。接続体９３では、一方側第１迂回部９３１と一方側第２迂回部９３２とが第１接続部９３５によって接続されており、他方側第１迂回部９３３と他方側第２迂回部９３４とが第２接続部９３６によって接続されている。こうして、インターコネクタ９では、接続体９３によって第１電極９１と第２電極９２とが通電可能に接続されている。
【００４４】
また、このように、接続体９３によって第１電極９１と第２電極９２とが接続されることにより、インターコネクタ９の中央には、前後方向及び左右方向に延びる空間９４が形成されている。この空間９４は、一方側第１迂回部９３１、第１電極９１及び他方側第１迂回部９３３からなる一群と、一方側第２迂回部９３２、第２電極９２及び他方側第２迂回部９３４からなる一群とを左右方向に離間させている。
【００４５】
図３に示すように、第１連結部１５ａは、インターコネクタ群９０を構成する３つのインターコネクタ９のうち、前方から１番目に配置されたインターコネクタ９と前方から２番目に配置されたインターコネクタ９とを連結する。具体的には、第１連結部１５ａは、前方から１番目に配置されたインターコネクタ９の第１接続部９３５と、前方から２番目に配置されたインターコネクタ９の第２接続部９３６とに連結されている。また、同様に第２連結部１５ｂは、インターコネクタ群９０を構成する３つのインターコネクタ９のうち、前方から２番目に配置されたインターコネクタ９の第１接続部９３５と、前方から３番目に配置されたインターコネクタ９の第２接続部９３６とを連結する。
【００４６】
そして、各インターコネクタ９において、第１電極９１は、第１太陽電池セル３の通電部と第１接点部９１ｂとが通電可能となるように、第１太陽電池セル３と接続される。また、第２電極９２は、第２太陽電池セル５の通電部と第２接点部９２ｂとが通電可能となるように、第２太陽電池セル５と接続される。上記のように、通電部は第１、２太陽電池セル３、５の各裏面３ｂ、５ｂに設けられているため、図２に示すように、第１電極９１は、第１太陽電池セル３の裏面３ｂ側に接続される。同様に、第２電極９２は、第２太陽電池セル５の裏面５ｂ側に接続される。なお、説明を容易にするため、図２及び図６〜８ではインターコネクタ９の形状を簡略化して図示している。また、通電部を第１、２太陽電池セル３、５の各表面３ａ、５ａに設けることにより、第１電極９１を第１太陽電池セル３の表面３ａ側に接続し、第２電極９２を第２太陽電池セル５の表面５ａ側に接続する構成としても良い。
【００４７】
こうして、図３に示すように、インターコネクタ群９０は、第１太陽電池セル３と第２太陽電池セル５との間に配置される。また、図２に示すように、インターコネクタ群９０は、第１太陽電池セル３及び第２太陽電池セル５に対して水平に配置される。そして、ソーラーパネルでは、左右方向で隣接する第１太陽電池セル３と第２太陽電池セル５とは、インターコネクタ群９０、ひいては、各インターコネクタ９によって通電可能に接続される。この際、インターコネクタ群９０により、第１太陽電池セル３と第２太陽電池セル５とは、図３に示す間隔Ｗを隔てて配置される。
【００４８】
図２に示す封止材１１としては、エチレン酢酸ビニル共重合体（ＥＶＡ）が採用されている。封止材１１は、後述するように、シート状の封止材１１ａ、１１ｂからなる。封止材１１は、保護板１と背面パネル１３との間、より詳細には、保護板１の裏面１ｂと背面パネル１３の表面１３ａとの間で各第１、２太陽電池セル３、５と、各タブ線７ａ、７ｂと、各インターコネクタ群９０とを封止状態で固定する。これにより、封止材１１は、保護板１及び背面パネル１３と一体をなしているとともに、封止状態で固定した各第１、２太陽電池セル３、５等を水分や酸素による劣化から保護する。また、封止材１１には、後述する第１シリコン樹脂１７ａ及び第２シリコン樹脂１７ｂが設けられている。なお、上記のＥＶＡに代えて、例えば、アイオノマー樹脂の他、シリコン樹脂やポリオレフィン等を封止材１１として採用することもできる。
【００４９】
背面パネル１３は、アルミニウム合金等の金属板によって形成されている。背面パネル１３は略矩形の平板状に形成されており、保護板１の裏面１ｂ、各第１、２太陽電池セル３、５及び封止材１１と対面する表面１３ａと、表面１３ａと反対側の面である裏面１３ｂとを有している。背面パネル１３は封止材１１の裏面側に設けられおり、封止材１１とともに、各第１、２太陽電池セル３、５等を水分や酸素による劣化から保護する。また、背面パネル１３は、保護板１の剛性が十分ではない場合には、ソーラーパネルの剛性を確保する。なお、背面パネル１３を炭素繊維強化樹脂（ＣＦＲＰ）等の樹脂によって形成しても良い。ここで、保護板１を上記のように樹脂製とするとともに、背面パネル１３も樹脂製として、保護板１と背面パネル１３との両方でソーラーパネルに必要な剛性を確保するように構成しても良い。また、ソーラーパネルの剛性を確保可能な程度に保護板１が剛性を有している場合には、背面パネル１３に代えて、例えばポリエーテルケトン（ＰＥＫ）等からなる薄膜状のフィルムを背面カバーとして採用しても良い。
【００５０】
各第１、２太陽電池セル３、５と背面パネル１３とは、第１、２シリコン樹脂１７ａ、１７ｂによって接着されている。具体的には、背面パネル１３の表面１３ａと各第１太陽電池セル３の各裏面３ｂとは、第１シリコン樹脂１７ａによって接着されている。また、背面パネル１３の表面１３ａと各第２太陽電池セル５の各裏面５ｂとは、第２シリコン樹脂１７ｂによって接着されている。なお、第１シリコン樹脂１７ａと第２シリコン樹脂１７ｂとは同一の材料を用いても良い。また、他の条件を考慮して、第１シリコン樹脂１７ａと第２シリコン樹脂１７ｂとで異なる材料を用いても良い。
【００５１】
このソーラーパネルは、以下のように製造される。まず、準備工程として、図６に示すように、加熱可能な真空成形治具１９を用意する。そして、予め形成された保護板１を真空成形治具１９に載置する。この際、表面１ａを真空成形治具１９に対面させた状態で保護板１を真空成形治具１９に載置する。
【００５２】
次いで、図７に示すように、封止工程として、まず初めに保護板１の裏面１ｂ側に、シート状の封止材１１ａ、各第１、２太陽電池セル３、５、タブ線７ａ、７ｂ、各インターコネクタ群、シート状の封止材１１ｂをこの順序で配置する。この際、各第１、２太陽電池セル３、５は、各タブ線７ａ、７ｂや各インターコネクタ群９０により、互いに通電可能に接続された状態となっている。
【００５３】
ここで、封止材１１ｂには、各第１太陽電池セル３の裏面３ｂと対面する位置に第１切欠き１１０ａが形成されているとともに、各第２太陽電池セル５の裏面５ｂと対面する位置に第２切欠き１１０ｂが形成されている。第１切欠き１１０ａ及び第２切欠き１１０ｂは、それぞれ第１太陽電池セル３及び第２太陽電池セル５の個数に対応して、封止材１１ｂに形成されている。そして、各第１切欠き１１０ａに対して第１シリコン樹脂１７ａを充填し、各第２切欠き１１０ｂに対して第２シリコン樹脂１７ｂを充填する。その後、表面１３ａを保護板１の裏面１ｂに対面させた状態で背面パネル１３を配置する。
【００５４】
これらの各第１、２太陽電池セル３、５等を配置するとともに、第１、２シリコン樹脂１７ａ、１７ｂを充填した後、ラミネート工程を行う。具体的には、図８に示すように、真空成型治具１９に向けてダイヤフラム２１を押し当てつつ、真空成型治具１９とダイヤフラム２１との間、すなわち、ソーラーパネルを構成する上記の各部材同士の間を真空状態とする。また、ダイヤフラム２１の押し当てと同時に真空成型治具１９を加熱することにより、封止材１１ａ、１１ｂを軟化させ、各部材同士を密着させる。これにより、保護板１の裏面１ｂと背面パネル１３の表面１３ａとの間に各第１、２太陽電池セル３、５、各タブ線７ａ、７ｂ及び各インターコネクタ群９０を封止状態で固定する。さらに、各第１シリコン樹脂１７ａによって、各第１太陽電池セル３と背面パネル１３とが接着されるとともに、各第２シリコン樹脂１７ｂによって、各第２太陽電池セル５と背面パネル１３とが接着される。こうして、ソーラーパネルが完成する。
【００５５】
図３に示すように、このソーラーパネルでは、左右方向で隣接する第１太陽電池セル３と第２太陽電池セル５とがインターコネクタ群９０によって通電可能に接続される。そして、インターコネクタ群９０を構成する各インターコネクタ９では、第１電極９１と第２電極９２とが接続体９３によって接続されている。これにより、このソーラーパネルでは、製造時や使用時における温度変化による熱伸縮で第１太陽電池セル３と第２太陽電池セル５の間隔Ｗが図３に示す状態から狭くなったり、反対に広くなったりすれば、それに応じて、各インターコネクタ９では、第１電極９１と第２電極９２との間隔を変化させることができる。
【００５６】
具体的には、温度変化によってソーラーパネルが収縮すれば、第１太陽電池セル３と第２太陽電池セル５とが互いに左右方向で近接する。このため、第１太陽電池セル３と第２太陽電池セル５との間隔Ｗが図３に示す状態から狭くなる。これに応じて、各インターコネクタ９では、の接続体９３が恰もパンタグラフのように変形する。具体的には、一方側第１迂回部９３１と一方側第２迂回部９３２とが図３や図４に示す状態よりも左右方向に近接するように変形し、他方側第１迂回部９３３と他方側第２迂回部９３４とが左右方向に近接するように変形する。これにより、各インターコネクタ９では、中央の空間９４が図３及び図４に示す状態と比べて狭くなり、第１電極９１と第２電極９２とが左右方向に近接する。
【００５７】
こうして、各インターコネクタ９では、ソーラーパネルの収縮時に各第１太陽電池セル３及び各第２太陽電池セル５によって左右方向から押圧される負荷を一方側第１、２迂回部９３１、９３２及び他方側第１、２迂回部９３３、９３４の変形によって緩衝しつつ、第１電極９１と第２電極９２とを左右方向で近接させることができる。このため、このソーラーパネルでは、各第１太陽電池セル３と各第２太陽電池セル５との間隔が狭くなっても、それによって各インターコネクタ９が厚さ方向に折損することを防止できる。
【００５８】
反対に、温度変化によってソーラーパネルが伸張すれば、第１太陽電池セル３と第２太陽電池セル５とが互いに左右方向で遠隔する。このため、第１太陽電池セル３と第２太陽電池セル５との間隔Ｗが図３に示す状態よりも広くなる。これに応じて、各インターコネクタ９の接続体９３では、図３及び図４に示す状態と比べて、一方側第１迂回部９３１と一方側第２迂回部９３２とが左右方向に遠隔するように変形する。同様に、他方側第１迂回部９３３と他方側第２迂回部９３４とが左右方向に遠隔するように変形する。これらのため、各インターコネクタ９では、中央の空間９４が図３及び図４に示す状態と比べて広くなり、第１電極９１と第２電極９２とが左右方向で遠隔する。こうして、各インターコネクタ９では、ソーラーパネルの伸張時に各第１太陽電池セル３及び各第２太陽電池セル５によって左右方向に牽引される負荷についても、一方側第１、２迂回部９３１、９３２及び他方側第１、２迂回部９３３、９３４の変形によって緩衝しつつ、第１電極９１と第２電極９２とを左右方向で遠隔させることができる。このため、このソーラーパネルでは、各第１太陽電池セル３と各第２太陽電池セル５との間隔が広くなっても、それによって第１電極９１と第１太陽電池セル３とが離別したり、第２電極９２と第２太陽電池セル５とが離別したりすることを防止できる。
【００５９】
また、接続体９３において、一方側第１、２迂回部９３１、９３２及び他方側第１、２迂回部９３３、９３４の４つがそれぞれ変形することから、各インターコネクタ９では、各第１太陽電池セル３と各第２太陽電池セル５との間の距離を均一に変化させ易くなっている。
【００６０】
さらに、第１電極９１の第１基部９１ａに対する一方側第１迂回部９３１の接続位置と他方側第１迂回部９３３の接続位置とは、前後方向で離間して配置されている。また、第２電極９２の第２基部９２ａに対する一方側第２迂回部９３２の接続位置と他方側第２迂回部９３４の接続位置とについても前後方向で離間して配置されている。このため、各インターコネクタ９では、一方側第１迂回部９３１と他方側第１迂回部９３３とが互いに独立して変形することが可能となっているとともに、一方側第２迂回部９３２と他方側第２迂回部９３４とが互いに独立して変形することが可能となっている。これらのため、一方側第１、２迂回部９３１、９３２及び他方側第１、２迂回部９３３、９３４が上記のように変形し易くなっており、第１電極９１と第２電極９２とを左右方向で近接又は遠隔させ易くなっている。
【００６１】
そして、一方側第１迂回部９３１は、一方側第１湾曲部位９３１ｂを有しており、一方側第２迂回部９３２は、一方側第２湾曲部位９３２ｂを有している。一方側第１湾曲部位９３１ｂの右端縁は、第１電極９１の第１基部９１ａの右端縁に対して湾曲しながら右方向から角度θで接続している。また、一方側第１湾曲部位９３１ｂの左端縁は、第１基部９１ａの後端縁に湾曲しながら接続している。そして、一方側第２湾曲部位９３２ｂの左端縁は、第２電極９２の第２基部９２ａの左端縁に対して湾曲しながら左方向から角度θで接続している。また、一方側第２湾曲部位９３２ｂの右端縁は、第２基部９２ａの後端縁に湾曲しながら接続している。
【００６２】
これにより、上記のように接続体９３が変形する際、一方側第１湾曲部位９３１ｂでは、応力を好適に分散し易くなっており、一方側第１迂回部９３１と第１電極９１との接続箇所に応力が集中することを防止できる。また、一方側第２迂回部９３２についても同様に、第２電極９２との接続箇所に応力が集中することを防止できる。他方側第１迂回部９３３と第１電極９１との接続箇所と、他方側第２迂回部９３４と第２電極９２との接続箇所とについても同様である。このため、このソーラーパネルでは、各インターコネクタ９の一方側第１、２迂回部９３１、９３２及び他方側第１、２迂回部９３３、９３４が応力によって破断し難くなっている。
【００６３】
したがって、実施例１のソーラーパネルは、ソーラーパネルに温度変化による伸縮が生じても、各第１太陽電池セル３と各第２太陽電池セル５との通電不良の発生を抑制できる。
【００６４】
特に、各インターコネクタ９では、第１電極９１、第２電極９２及び接続体９３が銅板を打ち抜き加工することによって一体で形成されている。このため、インターコネクタ９、ひいては、インターコネクタ群９０の製造が容易となっている。これにより、実施例１のソーラーパネルでは、製造コストを低廉化することが可能となっている。
【００６５】
また、インターコネクタ９では、接続体９３が１本の一方側第１迂回部９３１と、１本の一方側第２迂回部９３２と、１本の他方側第１迂回部９３３と、１本の他方側第２迂回部９３４と、１本の第１接続部９３５と、１本の第２接続部９３６とからなる。そして、接続体９３は、上面視した際に細い線状をなすように形成されている。これらのため、インターコネクタ９では、接続体９３の構成を簡略化することが可能となっている。
【００６６】
ここで、ソーラーパネルが温度変化によって伸縮した際に、インターコネクタがそれに追従して変形可能なように、例えば、接続体やインターコネクタの全体を螺旋形状に形成したり、インターコネクタの全体をメッシュ状に形成したりすることも考えられる。しかし、この場合には、接続体やインターコネクタ全体の形状が複雑化し、インターコネクタに複数の空間が形成される。このため、ラミネート工程時に封止材がインターコネクタの空間に入り込み難くなり、封止材とインターコネクタとの間に気泡が生じ易くなる。この結果、封止材とインターコネクタと結合力が低下し得る。また、気泡がソーラーパネルの意匠面に露出することにより、ソーラーパネルの美観が低下してしまうことになる。
【００６７】
この点、実施例１のソーラーパネルでは、上記のように、インターコネクタ９の接続体９３が細い線状をなしている。このため、ラミネート工程時に封止材１１ａ、１１ｂと、各インターコネクタ９との間に気泡が生じ難くなっている。このため、このソーラーパネルでは、封止材１１ａ、１１ｂと各インターコネクタ９とを十分に結合させることができる他、気泡がソーラーパネルの意匠面に露出することによる美観の低下も抑制することができる。
【００６８】
さらに、このソーラーパネルでは、各第１シリコン樹脂１７ａによって、各第１太陽電池セル３と背面パネル１３とが接着されているとともに、各第２シリコン樹脂１７ｂによって、各第２太陽電池セル５と背面パネル１３とが接着されている。これらのため、このソーラーパネルでは、製造時に各第１太陽電池セル３及び各第２太陽電池セル５の位置決めを容易に行うことが可能となっている。また、製造時や使用時における温度変化で背面パネル１３が伸縮した際に、各第１太陽電池セル３及び各第２太陽電池セル５を背面パネル１３に追従させて移動させることができる。このため、このソーラーパネルでは、保護板１に対する各第１太陽電池セル３や各第２太陽電池セル５の位置のずれを抑制することが可能となっている。このため、このソーラーパネルでは温度変化による伸縮が生じても、それによって、各第１太陽電池セル３や各第２太陽電池セル５の一部が隠蔽部材１０の本体部分１０ａや各連結部分１０ｂに隠蔽されることを防止することが可能となっている。
【００６９】
ここで、各第１太陽電池セル３及び各第２太陽電池セル５は、それぞれ裏面３ｂ、５ｂ側で背面パネル１３に接着されている。このため、保護板１の表面１ａ側からソーラーパネルを見た場合であっても、各第１、２シリコン樹脂１７ａ、１７ｂは見えることがない。このため、このソーラーパネルでは美観も高くなっている。
【００７０】
また、このソーラーパネルでは、３つのインターコネクタ９が第１、２連結部１５ａ、１５ｂによって連結されることによって、１つのインターコネクタ群９０を構成している。このため、インターコネクタ群９０では、各インターコネクタ９同士の前後方向の間隔を第１、２連結部１５ａ、１５ｂによって一律に設定することが可能となっている。これにより、このソーラーパネルでは、例えば、互いに独立する３つのインターコネクタ９によって、左右方向に隣接する第１太陽電池セル３と第２太陽電池セル５とを接続する場合に比べて、各インターコネクタ９同士の前後方向における位置決めが容易となっている。換言すれば、このソーラーパネルでは、インターコネクタ群９０を用いることにより、第１太陽電池セル３と第２太陽電池セル５とを接続する際に、各インターコネクタ９同士における前後方向の位置決めを別途に行う必要がない。
【００７１】
（実施例２）
実施例２のソーラーパネルでは、実施例１のソーラーパネルにおけるインターコネクタ群９０に換えて、図９に示すインターコネクタ２３が複数設けられている。インターコネクタ２３も銅板を打ち抜き加工することによって形成されている。なお、インターコネクタ２３の個数は適宜変更可能である。
【００７２】
インターコネクタ２３は、第１電極９１と、第２電極９２ｂと、接続体９５とを備えている。上記のインターコネクタ９と異なり、このインターコネクタ２３では、第１電極９１の第１基部９１ａ及び第２電極９２の第２基部９２ａがそれぞれインターコネクタ２３の後方に向かってのみ延びている。
【００７３】
接続体９５は、上記の一方側第１迂回部９３１と、一方側第２迂回部９３２と、第１接続部９３５とで構成されている。そして、インターコネクタ２３では、第１電極９１と第２電極９２とが接続体９５によって接続されている。また、インターコネクタ２３の中央には、空間９６が形成されている。この空間９６は、一方側第１迂回部９３１及び第１電極９１からなる一群と、一方側第２迂回部９３２及び第２電極９２からなる一群とを左右方向に離間させている。このソーラーパネルにおける他の構成は実施例１のソーラーパネルと同様である。
【００７４】
このインターコネクタ２３についても、上記のインターコネクタ９と同様の作用を奏することができる。また、インターコネクタ２３では、接続体９５が一方側第１、２迂回部９３１、９３２と、第１接続部９３５とで構成されている。これにより、インターコネクタ２３はインターコネクタ９、ひいては、インターコネクタ群９０と比較して容易に形成することが可能となっている。このため、インターコネクタ２３が設けられた実施例２のソーラーパネルでは、製造コストをより低廉化することが可能となっている。
【００７５】
以上において、本発明を実施例１、２に即して説明したが、本発明は上記実施例１、２に制限されるものではなく、その趣旨を逸脱しない範囲で適宜変更して適用できることはいうまでもない。
【００７６】
例えば、実施例１のソーラーパネルでは、３つのインターコネクタ９を第１、２連結部１５ａ、１５ｂに連結させてインターコネクタ群９０を構成しているが、これに限らず、３つのインターコネクタ９をそれぞれ独立させても良い。また、実施例２のソーラーパネルにおけるインターコネクタ２３について、複数個を連結させることによってインターコネクタ群を構成しても良い。
【００７７】
また、実施例１のソーラーパネルにおけるインターコネクタ９において、第１、２接続部９３５、９３６を左右方向に円弧状に湾曲して延びる形状としても良い。実施例２のソーラーパネルにおけるインターコネクタ２３についても同様である。
【００７８】
さらに、実施例１のソーラーパネルにおけるインターコネクタ９において、例えば、一方側第１迂回部９３１のみ一方側第１屈曲部位９３１ｂを有する構成としても良い。実施例２のソーラーパネルにおけるインターコネクタ２３についても同様である。
【００７９】
また、実施例１のソーラーパネルにおけるインターコネクタ９について、一方側第１本体部位９３１ａは、インターコネクタ９の後方側に向かって直線状に延びた後、次第に一方側第２迂回部９３２から遠ざかりつつ延びるように形成しても良い。一方側第２本体部位９３２ａも、インターコネクタ９の後方側に向かって直線状に延びた後、次第に一方側第１迂回部９３１から遠ざかりつつ延びるように形成しても良いても良い。他方側第１本体部位９３３ａ及び他方側第２本体部位９３４ａについても同様である。また、実施例２のソーラーパネルにおけるインターコネクタ２３についても同様である。
【００８０】
さらに、各第１シリコン樹脂１７ａによって、各第１太陽電池セル３の表面３ａと保護板１の裏面１ｂとを接着し、各第２シリコン樹脂１７ｂによって、各第２太陽電池セル５の表面５ａと保護板１の裏面１ｂとを接着する構成としても良い。この場合には、発電効率の低下を抑制するため、各第１、２シリコン樹脂１７ａ、１７ｂは透光性を有していることが好ましい。
【００８１】
また、実施例１、２のソーラーパネルは平板形状に限らず、湾曲形状に形成されても良い。
【産業上の利用可能性】
【００８２】
本発明は、車両のルーフに設けられるソーラーパネルの他、各種の太陽光発電設備に用いるソーラーパネル等に利用可能である。
【符号の説明】
【００８３】
１…保護板（保護カバー）
３…第１太陽電池セル
５…第２太陽電池セル
９…インターコネクタ
１１…封止材
１３…背面パネル（背面カバー）
１７ａ…第１シリコン樹脂（第１接着剤）
１７ｂ…第２シリコン樹脂（第２接着剤）
２３…インターコネクタ
９１…第１電極
９２…第２電極
９３、９５…接続体
９３１…一方側第１迂回部
９３１ｂ…一方側第１湾曲部位
９３２…一方側第２迂回部
９３２ｂ…一方側第２湾曲部位
９３３…他方側第１迂回部
９３３ｂ…他方側第１湾曲部位
９３４…他方側第２迂回部
９３４ｂ…他方側第２湾曲部位
９３５…第１接続部
９３６…第２接続部
【図１】
2018026380.tif 000003
【図２】
2018026380.tif 000004
【図３】
2018026380.tif 000005
【図４】
2018026380.tif 000006
【図５】
2018026380.tif 000007
【図６】
2018026380.tif 000008
【図７】
2018026380.tif 000009
【図８】
2018026380.tif 000010
【図９】
2018026380.tif 000011